(57)【特許請求の範囲】
【請求項１】
建物外壁面に下地材を設け、この下地材に外装材を支持するための取付金具を縦方向および横方向に所定間隔で固定し、これらの取付金具により外装材を下地材の外面に取付けた外装材の取付構造において、
前記下地材は、多数の孔を有し建物外壁面を覆う下地パネルからなり、
前記取付金具は、前記下地材の孔より大きい形状であることを特徴とする外装材の取付構造。
【請求項２】
建物外壁面に下地材を設け、この下地材に外装材を支持するための取付金具を縦方向および横方向に所定間隔で固定し、これらの取付金具により外装材を下地材の外面に取付けた外装材の取付構造において、
前記下地材は、多数の孔を有し建物外壁面を覆う下地パネルからなり、
前記取付金具の固定位置に、前記下地パネルの孔を塞ぐ塞ぎ材を装着したことを特徴とする外装材の取付構造。
【請求項３】
前記下地パネルは、斜め格子状の多数の孔を有するパネル材からなることを特徴とする請求項１または２に記載の外装材の取付構造。
【発明の詳細な説明】
【０００１】
【発明の属する技術分野】
本発明は、木造住宅等の建物外壁面を構成する外装材の取付構造に関する。
【０００２】
【従来の技術】
建物の外壁には所定間隔で柱および間柱が設けられ、その外面に透湿防水シートが張られ、これを押えるため及び通気層を確保するために柱と間柱に縦胴縁が固定される。外装材（サイディング）は、この縦胴縁に取付金具を固定し、この取付金具により支持される。
【０００３】
外装材は予め工場等で所定の矩形寸法に形成され、その長手方向の両縁には合じゃくり加工が施されている。この外装材は通常建物外面に横置き配置で順次並べて取付られる。上下の外装材同士は合じゃくりにより接合され、左右の外装材間はシール材を介して接合される。
【０００４】
図１０に示すように、外装材の取付金具１は、側面から見てＹ字を横にした形状の支持片１ａを有し、上下の外装材２，３間の合じゃくり接合位置に配設される。Ｙ字の支持片１ａの上側に上側の外装材２の合じゃくり部が載せられて重量が支持され、支持片の下側により下側の外装材３が前に倒れないようにその上縁の合じゃくり部を保持する。この取付金具１は釘４により縦胴縁５及びその背面の透湿防水シート６を介して柱（または間柱）７に固定される。このような取付金具１の縦胴縁５への取付面の寸法は、縦胴縁５の幅寸法に合わせて、通常縦横が４０ｍｍあるいはそれ以下の矩形形状である。
【０００５】
一方、壁自体の強度を高めるために、壁面を例えば斜め格子状等の多数の孔を有するパネル材で覆った耐力壁構造が検討されている。このような壁面を覆う孔の明いたパネル材に対しても、これを下地材として外装材を堅固に取付ける必要がある。この外装材の下地となる下地パネルの格子等で形成される孔は縦胴縁の幅程度あるいはそれより大きい外形寸法で形成される。
【０００６】
【発明が解決しようとする課題】
しかしながら、壁体を構成する孔明きのパネル材を下地材としてこれに外装材を取付ける場合、従来の取付金具をそのまま用いたのでは、その取付位置に下地パネルの孔が形成されていた場合に、取付金具が小さいため下地パネルの孔内に入り込んで下地パネル表面に固定できない。この場合、取付金具の位置をずらそうとしても、縦方向については外装材の所定の幅寸法ごとの間隔で取付けるためずらすことができず、また横方向については下地パネルを通して所定間隔の柱や間柱に固定する必要上大きくずらせることはできない。
【０００７】
本発明は上記の下地構造を考慮したものであって、孔明きの下地材に対し、取付金具を介して任意の位置に外装材を装着可能な外装材の取付構造の提供を目的とする。
【０００８】
【課題を解決するための手段】
前記目的を達成するため、本発明では、建物外壁面に下地材を設け、この下地材に外装材を支持するための取付金具を縦方向および横方向に所定間隔で固定し、これらの取付金具により外装材を下地材の外面に取付けた外装材の取付構造において、前記下地材は、多数の孔を有し建物外壁面を覆う下地パネルからなり、前記取付金具は、前記下地材の孔より大きい形状であることを特徴とする外装材の取付構造を提供する。
【０００９】
この構成によれば、外装材を取付ける下地材が従来の縦胴縁に代えて壁面を覆う下地パネルとすることにより、壁面は一体となり強度を高めることができるとともに、外装材の取付金具が孔明き下地パネルの孔より大きいため、孔の位置にかかわらず外装材の取付金具を任意の位置に固定することができる。
【００１０】
さらに本発明では、建物外壁面に下地材を設け、この下地材に外装材を支持するための取付金具を縦方向および横方向に所定間隔で固定し、これらの取付金具により外装材を下地材の外面に取付けた外装材の取付構造において、前記下地材は、多数の孔を有し建物外壁面を覆う下地パネルからなり、前記取付金具の固定位置に、前記下地パネルの孔を塞ぐ塞ぎ材を装着したことを特徴とする外装材の取付構造を提供する。
【００１１】
この構成によれば、外装材を取付ける下地材が従来の縦胴縁に代えて壁面を覆う下地パネルとすることにより、壁面は一体となり強度を高めることができるとともに、孔明き下地パネルの孔に塞ぎ材を嵌め込むことにより、孔の位置にかかわらず外装材の取付金具を任意の位置に固定することができる。
【００１２】
好ましい構成例としては、前記下地パネルは、一定の方向に傾斜して並列する多数本の表材と、この表材に対し直角方向に傾斜して並列する多数本の裏材とを接合して形成した斜め格子部材からなるものが挙げられる。
【００１３】
この構成によれば、斜め格子状の下地パネルに対し、その格子孔の位置にかかわらず外装材の取付金具を任意の位置に固定することができる。
【００１４】
【発明の実施の形態】
以下図面を参照して本発明の実施の形態について説明する。
図１は本発明の実施の形態に係る外装材取付構造の構成説明図であり、（Ａ）は部分正面図、（Ｂ）は水平断面図である。
下地パネル８は、一定方向に傾斜して並列する多数本の表材８ａと、この表材８ａに直交方向に傾斜して並列する多数本の裏材８ｂとにより斜め格子状に形成される。裏材８ｂの露出部は厚さが表材分だけの段差部８ｃが形成され、格子の空間部には孔９が形成される。柱１０および間柱１１の外面に透湿防水シート１２が張られ、その外面に下地パネル８が取付けられる。この柱１０および間柱１１の位置の下地パネル８上に取付金具１３が固定され、外装材１４が取付けられる。
【００１５】
取付金具１３は横長形状であり、下地パネル８の孔９や段差部８ｃを跨いでその両側の表材８ａ間に架け渡される。この状態で適当な本数の釘１５により柱１０あるいは間柱１１に固定される。このとき、表材８ａに係合する取付金具１３の左右いずれか又は両方の端部を、下地パネル８の表材８ａと裏材８ｂの重なり部分に対しさらに釘１６で固定してもよい。
【００１６】
図２（Ａ）（Ｂ）はそれぞれ上記実施形態の取付金具１３の正面図および側面図である。
横長の取付金具１３は、側面から見て横Ｙ字形状の支持部１８と、下地材側に取付ける取付部１９と、側面部２０とを板金の折り曲げ加工により一体形成したものである。
【００１７】
支持部１８は、上片１８ａと、下片１８ｂと、後片１８ｃとにより構成される。上片１８ａは、上側の外装材２２の下端部の合じゃくり根元部の切欠き内に係入して上側の外装材２２の重量を支持する。下片１８ｂは、下側の外装材２３の上端部の合じゃくりに係合して下側の外装材２３が前に倒れないように保持する。後片１８ｃは、下側の外装材２３の上端部を背面側から支持する。
【００１８】
取付部１９には、複数の釘孔１７ａおよびビス孔１７ｂが形成される。
側面部２０の幅寸法（前面側への突き出し寸法）により下地材と外装材との間に空間が形成される。これにより、下地材に形成された孔同士が不連続の場合に、下地材の前面側に通気層が形成される。なお、図１で示した斜め格子状の下地パネル８の場合には、孔９同士が連通するため、側面部２０がない形状の取付金具（例えば図１０で示した取付金具１）であっても通気層が形成される。
【００１９】
図３は本発明の別の実施の形態の部分正面図であり、図４はその取付金具の詳細図である。
この実施形態に係る取付金具２１は、縦長の矩形形状であり、下地パネル８の隣接する両表材８ａ間を縦方向に跨って架け渡される。その他の構成および作用効果は前述の実施形態と同様である。
【００２０】
図５は、本発明に係る取付金具の別の例を示し、図４の縦長取付金具の変形例である。
この取付金具２４は後面が開口した筐体形状であり、矩形開口面の周縁の両側辺および上辺にスパイク２５が形成される。このスパイク２５により取付金具２４が下地材上に確実に固定保持される。また、前面側の取付部１９には釘孔１７ａおよびビス孔１７ｂとともに、補強用のリブ２６が前面側からのプレス加工により後方に突出して形成される。その他の構成および作用効果は前述の実施形態と実質上同じである。なお、このような筐体構造およびスパイク２５やリブ２６は、前述の横長の取付金具や後述の略正方形の取付金具に対しても適用可能である。
【００２１】
図６は本発明の別の実施の形態の一部正面図であり、図７はその取付金具の詳細図である。
この実施形態に係る取付金具２７は、略正方形の形状であり、下地パネル８の隣接する両表材８ａ間に架渡される大きさである。その他の構成および作用効果は前述の実施形態と同様である。
【００２２】
図８（Ａ）（Ｂ）は、本発明のさらに別の実施の形態に係る外装材取付構造の部分正面図および水平断面構成図である。
この実施形態は、柱１０および間柱１１の位置で、下地パネル８の孔９及び／又は段差部８ｃを塞ぎ又は覆うことにより、取付金具を取付ける部分の下地パネル８の上面を表材８ａの上面と同一面としたものである。段差部８ｃには図９（Ａ）に示すように、表材８ａと同じ厚さの塞ぎ材２８を嵌め込む。孔９には図９（Ｂ）に示すように、表材８ａと裏材８ｂを合わせた厚さの塞ぎ材２９を嵌め込む。図９（Ｃ）の塞ぎ材３０は、孔９とその両側の段差部８ｃを塞ぐものである。このような塞ぎ材３０を用いることにより、塞ぎ材が嵌め込み位置に確実に固定保持されるため取扱性がよく、また取付金具の取付可能位置範囲が広がる。
【００２３】
このような塞ぎ材２８，２９または３０を嵌め込むことにより、孔９や段差部８ｃが塞がれるため、孔９内に入り込むような小さな形状の取付金具１を用いて外装材１４を取付けることができる。
【００２４】
なお、上記各実施形態では下地材として斜め格子状の下地パネルを用いたが、本発明はこのような形状の下地パネルに限定されず、板材に各種形状の孔が明いた下地材を用いることができる。
【００２５】
【発明の効果】
以上説明したように、本発明では、外装材を取付ける下地材が従来の縦胴縁に代えて壁面を覆う下地パネルとすることにより、壁面の強度を高めることができるとともに、外装材の取付金具を孔明き下地パネルの孔より大きくすることにより、あるいは孔を塞ぐことにより、孔の位置にかかわらず外装材の取付金具を任意の位置に固定することができる。
【図面の簡単な説明】
【図１】  本発明の実施の形態の構成説明図。
【図２】  図１の実施形態で用いる取付金具の形状説明図。
【図３】  本発明の別の実施形態の構成説明図。
【図４】  図３の実施形態で用いる取付金具の形状説明図。
【図５】  図４の取付金具の変形例の形状説明図。
【図６】  本発明のさらに別の実施形態の形状説明図。
【図７】  図６の実施形態で用いる取付金具の形状説明図。
【図８】  本発明のさらに別の実施の形態の構成説明図。
【図９】  図８の実施形態で用いる塞ぎ材の形状説明図。
【図１０】  従来の外装材取付構造の断面図。
【符号の説明】
１：取付金具、２，３：外装材、４：釘、５：縦胴縁、６：透湿防水シート、
７：柱（または間柱）、８：下地パネル、８ａ：表材、８ｂ：裏材、
８ｃ：段差部、９：孔、１０：柱、１１：間柱、１２：透湿防水シート、
１３：取付金具、１４：外装材、１５，１６：釘、１７ａ：釘孔、
１７ｂ：ビス孔、１８：支持部、１８ａ：上片、１８ｂ：下片、１８ｃ：後片、
１９：取付部、２０：側面部、２１：取付金具、２２，２３：外装材、
２４：取付金具、２５：スパイク、２６：リブ、２７：取付金具、
２８，２９，３０：塞ぎ材。
【図１】
0004405641.tif 000002
【図２】
0004405641.tif 000003
【図３】
0004405641.tif 000004
【図４】
0004405641.tif 000005
【図５】
0004405641.tif 000006
【図６】
0004405641.tif 000007
【図７】
0004405641.tif 000008
【図８】
0004405641.tif 000009
【図９】
0004405641.tif 000010
【図１０】
0004405641.tif 000011